(57)【要約】【課題】ＰＤＰ装置の維持駆動回路に係わり、回路動作の安定性を実現できる技術を提供する。【解決手段】本ＰＤＰ装置では、維持放電用パルスを供給する維持駆動回路装置５０−１において、電力回収回路１００は、コイル（Ｌ０）１５０と、スイッチ（ＳＬ）及びダイオード（ＤＬ）とを有し、Ｖｓクランプ回路２００は、スイッチ（ＳＣ）を有する。電力回収回路１００において、スイッチ（ＳＬ）がパネル容量（Ｃ）側に、コイル（Ｌ０）がＶｓ中間電位の電源ライン側に接続され、コイル（Ｌ０）とスイッチ（ＳＬ）との間のノードに、クランプ用のダイオード（ＤＬ）とそれに接続される電源（Ｖｃ）とが接続される。制御タイミングとして、ＬＣ共振電流周期のπ／２未満のタイミングで、スイッチ（ＳＬ）をＯＦＦしスイッチ（ＳＣ）をＯＮすることによりＶｓクランプさせる。【選択図】図３
2008241853.tif 000002
【特許請求の範囲】
【請求項１】
交流駆動型のプラズマディスプレイパネルの電極を電圧波形の印加により駆動するプラズマディスプレイパネル駆動回路装置であって、
前記パネルにおける維持放電に用いる電極に接続する電力回収回路及びクランプ回路を備え、前記電極に維持放電用パルスを印加する維持放電用パルス駆動回路を有し、
前記維持放電用パルス駆動回路において、
前記電力回収回路は、コイルと、ＬＣ共振動作の制御のための第１種のスイッチ及び整流のための第１種のダイオードとを有し、前記コイルのインダクタンスと前記パネルの電極間の容量とによりＬＣ共振して前記容量に充電された電力を回収する動作を行い、
前記クランプ回路は、前記パネルの容量の電極間に印加する前記維持放電用パルスの電圧に対応する第１種の電源として高電位に対応する第１の電源及び低電位に対応する第２の電源が接続され、前記高電位と低電位にそれぞれクランプする動作の制御のための第２種のスイッチを有し、
前記電力回収回路において、
前記コイルの一方端が、前記第１種のダイオードと前記第１種のスイッチとを介して、前記パネルの電極に接続され、前記コイルの他方端が、前記維持放電用パルスの電圧のほぼ中間電位となる電源ラインに接続され、
前記コイルの一方端と前記第１種のスイッチとの間のノードに、当該電力回収回路でのクランプ用の第２種のダイオードとそれに接続される第２種の電源とを有するラインが接続され、
前記維持放電用パルスの印加の際の動作制御として、
前記クランプ回路の第２種のスイッチをＯＦＦした状態から、前記電力回収回路の第１種のスイッチをＯＮすることにより前記ＬＣ共振させ、
前記ＬＣ共振電流周期のπ／４以上π／２未満のタイミングで、前記第１種のスイッチをＯＦＦし、かつ続いて前記第２種のスイッチをＯＮすることにより、前記維持放電用パルスの高電位または低電位にクランプさせること、を特徴とするプラズマディスプレイパネル駆動回路装置。
【請求項２】
請求項１記載のプラズマディスプレイパネル駆動回路装置において、
前記電力回収回路は、
前記第２種の電源として、前記第１種の第１の電源の電圧と同じになる高電位側の第１の電源と、前記第１種の第２の電源の電圧と同じになる低電位側の第２の電源と、を有することを特徴とするプラズマディスプレイパネル駆動回路装置。
【請求項３】
請求項１記載のプラズマディスプレイパネル駆動回路装置において、
前記電力回収回路は、
前記コイルとして、前記ＬＣ共振動作で前記電力回収回路から前記パネルの電極へ電流を流す際に用いる第１のコイルと、前記パネルの電極から前記電力回収回路へ電流を流す際に用いる第２のコイルとを並列のラインで有し、
前記第２種の電源として、前記第１種の第１の電源の電圧よりも低く前記維持放電用パルスの中間電位以上となる、高電位側の第１の電源と、前記第１種の第２の電源の電圧よりも高く前記維持放電用パルスの中間電位以下となる、低電位側の第２の電源と、を有し、
前記第２種のダイオードとして、前記第２種の第１の電源にクランプするための第１のダイオードを、前記第１のコイルと前記第１種のスイッチとの間のノードに対し接続すること、を特徴とするプラズマディスプレイパネル駆動回路装置。
【請求項４】
請求項１記載のプラズマディスプレイパネル駆動回路装置において、
前記電力回収回路は、
前記コイルとして、前記ＬＣ共振動作で前記電力回収回路から前記パネルの電極へ電流を流す際に用いる第１のコイルと、前記パネルの電極から前記電力回収回路へ電流を流す際に用いる第２のコイルとを並列のラインで有し、
前記第２種の電源として、前記第１種の第１の電源の電圧よりも低く前記維持放電用パルスの中間電位以上となる、高電位側の第１の電源と、前記第１種の第２の電源の電圧よりも高く前記維持放電用パルスの中間電位以下となる、低電位側の第２の電源と、を有し、
前記第２種のダイオードとして、前記第２種の第２の電源にクランプするための第２のダイオードを、前記第２のコイルと前記第１種のスイッチとの間のノードに対し接続すること、を特徴とするプラズマディスプレイパネル駆動回路装置。
【請求項５】
請求項１記載のプラズマディスプレイパネル駆動回路装置において、
前記電力回収回路は、
前記コイルとして、前記ＬＣ共振動作で前記電力回収回路から前記パネルの電極へ電流を流す際に用いる第１のコイルと、前記パネルの電極から前記電力回収回路へ電流を流す際に用いる第２のコイルとを並列のラインで有し、
前記第１種のスイッチとして、前記容量への充電側の第１のスイッチと、前記容量からの放電側の第２のスイッチと、を有し、
前記第１種のダイオードとして、前記容量への充電側の第１のダイオードと、前記容量からの放電側の第２のダイオードと、を有し、
前記第２種の電源として、前記第１種の第１の電源の電圧と同じ、もしくはそれよりも低く前記維持放電用パルスの中間電位以上となる、高電位側の第１の電源と、前記第１種の第２の電源の電圧と同じ、もしくはそれよりも高く前記維持放電用パルスの中間電位以下となる、低電位側の第２の電源と、を有し、
前記第２種のダイオードとして、前記第２種の第１の電源にクランプするための第１のダイオードを、前記第１のコイルと前記第１種の第１のスイッチとの間のノードに対し接続し、かつ、前記第２種の第２の電源にクランプするための第２のダイオードを、前記第２のコイルと前記第１種の第２のスイッチとの間のノードに接続すること、を特徴とするプラズマディスプレイパネル駆動回路装置。
【請求項６】
請求項３記載のプラズマディスプレイパネル駆動回路装置において、
前記電力回収回路は、前記第２種の第１の電源として、前記パネルのアドレス電極に対するアドレス選択放電のためのパルスに用いる電源電圧を共通に用いることを特徴とするプラズマディスプレイパネル駆動回路装置。
【請求項７】
請求項４記載のプラズマディスプレイパネル駆動回路装置において、
前記電力回収回路は、前記第２種の第２の電源として、前記パネルのアドレス電極に対するアドレス選択放電のためのパルスに用いる電源電圧を共通に用いることを特徴とするプラズマディスプレイパネル駆動回路装置。
【請求項８】
請求項２〜７のいずれか一項に記載のプラズマディスプレイパネル駆動回路装置において、
前記電力回収回路は、前記第１と第２のコイルのインダクタンスは第１のコイルの方が小さいことを特徴とするプラズマディスプレイパネル駆動回路装置。
【請求項９】
請求項２〜７のいずれか一項に記載のプラズマディスプレイパネル駆動回路装置において、
前記電力回収回路は、
前記ＬＣ共振動作の制御の第１種のスイッチとして、前記維持放電用パルスの高電位側の第１のラインと低電位側の第２のラインとの間を接続する第３のライン上に、前記容量に対する充電及び放電の両方の制御ための１つに共通化されたスイッチを有し、かつ、そのスイッチの前後の前記第１及び第２のライン上に、前記第１種のダイオードとして前記充電及び放電の整流のための第１〜第４のダイオードを有することを特徴とするプラズマディスプレイパネル駆動回路装置。
【請求項１０】
維持放電に用いる第１及び第２の電極とアドレス選択放電に用いる第３の電極とを有する交流駆動型のプラズマディスプレイパネルと、前記パネルの各電極を駆動する各駆動回路装置と、を備えるプラズマディスプレイ装置であって、
前記パネルの第１または第２の電極を駆動する駆動回路装置において、前記第１または第２の電極に接続する電力回収回路及びクランプ回路を備え当該電極に維持放電用パルスを印加する維持放電用パルス駆動回路を有し、
前記維持放電用パルス駆動回路において、
前記電力回収回路は、コイルと、ＬＣ共振動作の制御のための第１種のスイッチ及び整流のための第１種のダイオードとを有し、前記コイルのインダクタンスと前記パネルの電極間の容量とによりＬＣ共振して前記容量に充電された電力を回収する動作を行い、
前記クランプ回路は、前記パネルの容量の電極間に印加する前記維持放電用パルスの電圧に対応する第１種の電源として高電位に対応する第１の電源及び低電位に対応する第２の電源が接続され、前記高電位と低電位にそれぞれクランプする動作の制御のための第２種のスイッチを有し、
前記電力回収回路において、
前記コイルの一方端が、前記第１種のダイオードと前記第１種のスイッチとを介して、前記パネルの電極に接続され、前記コイルの他方端が、前記維持放電用パルスの電圧のほぼ中間電位となる電源ラインに接続され、前記コイルの一方端と前記第１種のスイッチとの間のノードに、当該電力回収回路でのクランプ用の第２種のダイオードとそれに接続される第２種の電源とを有するラインが接続され、
前記維持放電用パルスの印加の際の動作制御として、前記クランプ回路の第２種のスイッチをＯＦＦした状態から、前記電力回収回路の第１種のスイッチをＯＮすることにより前記ＬＣ共振させ、次に、前記ＬＣ共振電流周期のπ／４以上π／２未満のタイミングで、前記第１種のスイッチをＯＦＦし、かつ続いて前記第２種のスイッチをＯＮすることにより、前記維持放電用パルスの高電位または低電位にクランプさせること、を特徴とするプラズマディスプレイ装置。
【発明の詳細な説明】
【技術分野】
【０００１】
本発明は、プラズマディスプレイパネル（ＰＤＰ）及びその駆動回路装置を備えるプラズマディスプレイ装置（ＰＤＰ装置）に関し、特に、維持放電用パルス（サステインパルス）を出力する駆動回路に関する。
【背景技術】
【０００２】
従来、ＰＤＰ装置の駆動回路において、電力回収回路と維持放電電圧（Ｖｓとする）クランプ回路とを有して成る維持放電用パルス駆動回路（維持駆動回路と略する）を有する。その維持駆動回路により、維持放電用パルスを、パネル（ＰＤＰ）の維持放電に用いる電極（表示電極、即ち維持（Ｘ）電極または走査（Ｙ）電極）に対して与えていた。電力回収回路では、パネルの電極（Ｘ，Ｙ）間の容量（Ｃ）とコイルのインダクタンス（Ｌ）とでＬＣ共振させ、パネル容量（Ｃ）に蓄積された電力を回収する。Ｖｓクランプ回路では、維持放電用パルスの高電位（ｖ１とする）と低電位（ｖ２とする）にそれぞれクランプする動作制御のためのスイッチ（ＳＣとする）を備える。なお、維持放電用パルスの電圧（高電位（ｖ１）と低電位（ｖ２）の差）を、維持放電電圧（Ｖｓ）と称する。また、維持放電用パルスによる維持放電における放電開始電圧（Ｖｉ）は、維持放電電圧（Ｖｓ）よりも少し低い電圧になる。
【発明の開示】
【発明が解決しようとする課題】
【０００３】
前記背景技術の維持駆動回路において、電力回収回路（コイル（Ｌ）を含む）からパネル電極（容量（Ｃ））に対し、放電開始電圧（Ｖｉ）を超える電圧、を供給する際、以下のような動作となっている。即ちその際、当該回路（コイル（Ｌ）を含む）のインピーダンスが高く、当該容量（Ｃ）へ充分なガス放電電流を供給することができないため、当該容量（Ｃ）で安定した維持放電を行わせるために、Ｖｓクランプ回路から電圧を供給していた。なお、上記ガス放電は、パネル容量（Ｃ）即ち表示セルの電極間における放電、特に維持放電用パルスの印加により表示電極（Ｘ，Ｙ）間で発生する維持放電のことである。
【０００４】
維持駆動回路における電力回収回路とＶｓクランプ回路により、維持放電用パルスをパネル電極（容量（Ｃ））に供給する際、コイル（Ｌ）と容量（Ｃ）との間、もしくは、コイル（Ｌ）とＶｓクランプ回路との間は、電気的に常時接続状態（遮断されていない状態）である。それにより、コイル（Ｌ）に流れる電流を制御することができないため、回路動作の安定性を損ねていた、という問題がある。
【０００５】
本発明は以上のような問題に鑑みてなされたものであり、その目的は、ＰＤＰ装置の駆動回路（維持駆動回路）に係わり、回路動作の安定性を実現できる技術を提供することにある。
【課題を解決するための手段】
【０００６】
本願において開示される発明のうち、代表的なものの概要を簡単に説明すれば、次のとおりである。前記目的を達成するために、本発明は、交流駆動型のＰＤＰを備えるＰＤＰ装置における、ＰＤＰ（パネル）の電極を電圧波形の印加により駆動するＰＤＰ駆動回路装置、特に、パネルの維持放電に用いる電極（Ｘ電極またはＹ電極）に対し維持放電用パルスを供給するための維持放電用パルス駆動回路（維持駆動回路）、の技術であって、以下に示す構成を特徴とする。
【０００７】
本発明のＰＤＰ駆動回路装置では、下記（１）及び（２）の手段及び特徴を備える。（１）まず、維持駆動回路における電力回収回路のＬＣ共振の動作及び制御における、コイル（Ｌ）側とパネル容量（Ｃ）側とを電気的に分離する構成、即ちそれらの接続と遮断の状態をスイッチで切り替え制御可能な構成とする。また本装置では、上記（１）と共に、（２）公知技術であるアーリー（早期）クランプ動作制御、即ち従来のＶｓクランプのタイミングを早め、ＬＣ共振で所定電圧へ達するよりも前のタイミングでＶｓクランプを行う動作、により表示品位（駆動マージン）を向上させる技術、を使用する。
【０００８】
本維持駆動回路において、前記（１）の特徴に関して、Ｖｓクランプ回路をパネル電極側に接続し（従来同様）、電力回収回路では、電力回収用のコイル（Ｌ）とパネル電極（容量（Ｃ））との間に、電力回収用（ＬＣ共振動作制御用）のスイッチ（ＳＬ）及びダイオード（ＤＬ）を設ける構成である。これは従来の維持駆動回路とはコイル（Ｌ）やスイッチ（ＳＬ）の配置が異なる。
【０００９】
また、電力回収回路において、コイル（Ｌ）の一方端とダイオード（ＤＬ）もしくはスイッチ（ＳＬ）との間のノードに、電力回収回路におけるクランプ用のダイオード（ＤＣ）（クランプダイオード）とそれに接続する電源（Ｖｃ）とのラインを接続した構成とする。コイル（Ｌ）の他方端は、Ｖｓのほぼ中間電位となる電源ラインの側に接続する。電力回収回路の上記電源（Ｖｃ）は、Ｖｓクランプ回路の維持放電用の電源（維持放電用パルスの高電位（ｖ１）に対応する電源（Ｖ１）及び低電位（ｖ２）に対応する電源（Ｖ２））と、電圧絶対値が同じ、もしくはそれよりも小さいものにする。
【００１０】
本ＰＤＰ装置の駆動回路装置は例えば以下の構成である。本駆動回路装置に備える維持駆動回路は、パネルにおける維持放電に用いる電極に接続する電力回収回路及びＶｓクランプ回路を備える。維持駆動回路において、電力回収回路は、コイル（Ｌ）と、ＬＣ共振動作の制御のための第１種のスイッチ（ＳＬ）及びＬＣ共振動作の整流のための第１種のダイオード（ＤＬ）とを有し、コイル（Ｌ）のインダクタンス（同じＬで表す）とパネル電極間の容量（Ｃ）とによりＬＣ共振して容量（Ｃ）に充電・蓄積された電力を回収する動作を行う。Ｖｓクランプ回路は、維持放電用パルスの高電位（ｖ１）と低電位（ｖ２）に対応する第１種の電源（Ｖ１，Ｖ２）が接続され、その維持放電用パルスの高電位（ｖ１）と低電位（ｖ２）にそれぞれクランプする動作（Ｖｓクランプ動作）の制御のための第２種のスイッチ（ＳＣ）を有する。電力回収回路において回路部品配置構成として、コイルの一方端が、第１種のダイオード（ＤＬ）と第１種のスイッチ（ＳＬ）とを介して、パネル電極に接続され、コイルの一方端と第１種のスイッチ（ＳＬ）との間のノードに接続するラインに、当該電力回収回路でのクランプ用の第２種のダイオード（ＤＣ）（クランプダイオード）と、それ（ＤＣ）に接続される第２種の電源（Ｖｃ）とを有する。コイルの他方端が、パネル容量（Ｃ）の電極間に印加する維持放電電圧（Ｖｓ）、即ち維持放電用パルスの高電位（ｖ１）と低電位（ｖ２）の差の電圧（Ｖｓ）の、ほぼ中間電位となる電源ライン（ｖ１，ｖ２が±Ｖｓ／２の構成の場合はＧＮＤ）に接続される。もしくは、ｖ１，ｖ２がＶｓ，ＧＮＤの構成の場合は、上記ほぼ中間電位となる電源ラインとしては、一方がＧＮＤに接続された電力回収用コンデンサ（Ｃｐ）の他方側、に接続される。
【００１１】
そして、本駆動回路装置は、前記（２）の特徴に係わる、維持放電用パルスの印加の際の、アーリークランプ動作制御を含む動作制御として、まず、Ｖｓクランプ回路の第２種のスイッチ（ＳＣ）をＯＦＦした状態（ステップ０）から、電力回収回路の第１種のスイッチ（ＳＬ）をＯＮ（ステップ１）することによりＬＣ共振させる。次に、ＬＣ共振電流周期のπ／４以上π／２未満のタイミングで、第１種のスイッチ（ＳＬ）をＯＦＦ（ステップ３）し、かつ続いて第２種のスイッチ（ＳＣ）をＯＮ（ステップ４）することにより、Ｖｓの高電位（ｖ１）または低電位（ｖ２）にクランプさせる。
【００１２】
また例えば、本駆動回路装置は、更に、電力回収回路は、コイル（Ｌ）として、ＬＣ共振動作で電力回収回路からパネル電極へ電流を流す際に用いる第１コイル（Ｌ１）と、パネル電極から電力回収回路へ電流を流す際に用いる第２コイル（Ｌ２）と、を並列のラインで有する。また、第１種のスイッチ（ＳＬ）として、容量（Ｃ）への充電側の第１のスイッチ（ＳＬｕ）と、容量（Ｃ）からの放電側の第２のスイッチ（ＳＬｄ）と、を有する。第１種のダイオード（ＤＬ）として、容量（Ｃ）への充電側の第１のダイオード（ＤＬｕ）と、容量（Ｃ）からの放電側の第２のダイオード（ＤＬｄ）とを有する。また、第２種のダイオード（ＤＣ）に接続される第２種の電源（Ｖｃ）として、Ｖｓの高電位（ｖ１、例えば＋Ｖｓ／２）対応の第１の電源（Ｖ１）の電圧よりも低くＶｓの中間電位（ｖｍ、例えばＧＮＤ）以上となる（ｖｍ≦Ｖｃ１＜ｖ１）、高電位側の第１の電源（Ｖｃ１）と、Ｖｓの低電位（ｖ２、例えば−Ｖｓ／２）対応の第２の電源（Ｖ２）の電圧よりも高く、Ｖｓの中間電位（ｖｍ、例えばＧＮＤ）以下となる（ｖ２＜Ｖｃ２≦ｖｍ）、低電位側の第２の電源（Ｖｃ２）と、を有する。また、第２種のダイオード（ＤＣ）として、第２種の電源（Ｖｃ）の第１の電源（Ｖｃ１）の電圧にクランプするための第１のダイオード（ＤＣ１）を、第１コイル（Ｌ１）と第１のダイオード（ＤＬｕ）もしくは第１のスイッチ（ＳＬｕ）との間のノードに対し接続し、かつ、第２種の電源（Ｖｃ）の第２の電源（Ｖｃ２）の電圧にクランプするための第２のダイオード（ＤＣ２）を、第２コイル（Ｌ２）と第２のダイオード（ＤＬｄ）もしくは第２のスイッチ（ＳＬｄ）との間のノードに接続する構成である。
【発明の効果】
【００１３】
本願において開示される発明のうち、代表的なものによって得られる効果を簡単に説明すれば以下のとおりである。本発明によれば、ＰＤＰ装置の駆動回路（維持駆動回路）に係わり、回路動作の安定性を実現できる。
【発明を実施するための最良の形態】
【００１４】
以下、本発明の実施の形態を図面に基づいて詳細に説明する。なお、実施の形態を説明するための全図において、同一部には原則として同一符号を付し、その繰り返しの説明は省略する。
【００１５】
＜従来技術＞
図１３を用いて、本発明の実施の形態をわかりやすく説明するために、本発明の実施の形態に対する従来技術となる維持駆動回路について簡単に説明する。
【００１６】
図１３において、維持駆動回路５０−１は、電力回収回路１００とＶｓクランプ回路２００を有し、パネルの容量（Ｃ）のＸ電極に対して接続されている。また同様構成のＶｓクランプ回路２００−２を有する維持駆動回路５０−２が、パネルの容量（Ｃ）のＹ電極に対して接続されている。
【００１７】
Ｖｓクランプ回路２００は、維持放電用パルス及び維持放電電圧（Ｖｓ）に対応する高電位（ｖ１）側の第１の電源（Ｖ１）２１１及び低電位（ｖ２）側の第２の電源（Ｖ２）２１２が接続されており、Ｖｓクランプの動作制御のためのスイッチ（ＳＣ）の回路として、第１のスイッチ（ＳＣｕ）２２１，第２のスイッチ（ＳＣｄ）２２２を有する。第１のスイッチ（ＳＣｕ）２２１はＶｓクランプアップ動作制御、第２のスイッチ（ＳＣｄ）２２２はＶｓクランプダウン動作制御、に用いる。Ｙ側のスイッチ（ＳＣｕ’，ＳＣｄ’）についても同様である。各スイッチ（ＳＣ，ＳＬ）は、それぞれＦＥＴ等のスイッチ素子を含んで構成される。
【００１８】
電力回収回路１００は、電力回収用のコイル（Ｌ）として、第１コイル（Ｌ１）１５０−１、第２コイル（Ｌ２）１５０−２を有し、ＬＣ共振動作制御のためのスイッチ（ＳＬ）の回路として、第１のスイッチ（ＳＬｕ）１２１，第２のスイッチ（ＳＬｄ）１２２を有する。第１のスイッチ（ＳＬｕ）１２１はＬＣ共振アップ動作制御、第２のスイッチ（ＳＬｄ）１２２は、ＬＣ共振ダウン動作制御、に用いる。また、電力回収回路１００には、クランプダイオード及び電源１７０が接続されている。
【００１９】
電力回収回路１００からパネル容量（Ｃ）への充電（電荷供給）側の第１のライン（１８１）上において、第１コイル（Ｌ１）１５０−１が、パネル電極及びＶｓクランプ回路２００に近い側に接続されている。また、パネル容量（Ｃ）から電力回収回路１００への放電（電荷回収）側の第２のライン（１８２）上において、第２コイル（Ｌ２）１５０−２が、パネル電極に近い側に接続されている。一方、スイッチ（ＳＬ）については、スイッチ（ＳＬｕ）１２１及びスイッチ（ＳＬｄ）１２２が、電源ライン１６０に近い側に接続されている。
【００２０】
従来、電力回収回路１００からパネル電極（容量（Ｃ））に対し、放電開始電圧（Ｖｉ）を超える電圧、を供給する際、以下のような動作となっている。即ちその際、当該回路（コイル（Ｌ）を含む）のインピーダンスが高く、当該容量（Ｃ）へ充分なガス放電電流を供給することができないため、当該容量（Ｃ）で安定した維持放電を行わせるために、Ｖｓクランプ回路２００から電圧を供給していた。電力回収回路１００とＶｓクランプ回路２００により、維持放電用パルスをパネル電極（容量（Ｃ））に供給する際、コイル（Ｌ）と容量（Ｃ）との間、もしくは、コイル（Ｌ）とＶｓクランプ回路２００との間は、電気的に常時接続状態である。それにより、コイル（Ｌ）に流れる電流を制御することはできなかった。
【００２１】
（実施の形態１）
図１〜図３等を用いて、本発明の実施の形態１を説明する。実施の形態１では、維持駆動回路の電力回収用コイル（Ｌ）として１つのコイル（Ｌ０）を有する。まず、各実施の形態で共通するＰＤＰ装置及びＰＤＰ等の基本構成を説明する。
【００２２】
＜ＰＤＰ装置＞
図１において、ＰＤＰ装置の全体の構成を説明する。ＰＤＰ装置は、ＰＤＰ（パネル）１０、制御回路１０００、Ｘ駆動回路１００１、Ｙ駆動回路１００２、アドレス駆動回路１００３を有する。制御回路１０００は、フレームメモリや信号処理回路等を備え、映像信号（ＤＡＴＡ）、制御クロック（ＣＬＫ）、水平同期信号（ＨＳ）、垂直同期信号（ＶＳ）等を入力して、ＰＤＰ駆動制御のための処理を行い、駆動制御信号を、各駆動回路等へ出力する。Ｘ駆動回路１００１は、維持駆動回路５０−１を備える。Ｙ駆動回路１００２は、維持駆動回路５０−２及び走査駆動回路６０を備える。
【００２３】
ＰＤＰ１０は、画素に対応付けられる表示セルの行列による表示領域が構成される、例えばＸ電極３１、Ｙ電極３２、アドレス（Ａ）電極３３を備える三電極・交流駆動（ＡＣ）型のパネルである。表示電極（３１，３２）の対に対応して表示のラインが構成され、更にアドレス電極３３との交差に対応して表示の列及びセルが構成される。セル行列によりＰＤＰ１０の表示領域が構成され、表示単位となるフィールド及びサブフィールドに対応付けられる。
【００２４】
各駆動回路部（１００１，１００２，１００３）は、ＰＤＰ１０の対応する電極群（３１，３２，３３）を、電圧波形の印加により駆動する。特に、維持駆動回路５０−１及び５０−２から、維持放電用パルスを、表示電極（Ｘ電極３１、Ｙ電極３２）へ印加する。これにより、表示セル（容量（Ｃ））で維持放電を発生させる。
【００２５】
＜ＰＤＰ＞
図２において、ＰＤＰ１０の構造例（三電極、ボックスリブの場合）を説明する。ＰＤＰ１０における画素（各色のセル（Ｃｒ，Ｃｇ，Ｃｂ）のセット）に対応した一部分を示している。ＰＤＰ１０は、主にガラスで構成される前面基板１及び背面基板２の構造体（前面部２０１、背面部２０２）が対向して組み合わされ、その周囲部が封止され、その空間に放電ガスが封入されることにより構成される。
【００２６】
前面基板１上には、表示電極である複数のＸ電極３１及びＹ電極３２が、第１方向に平行に伸びて第２方向に交互に形成されている。これらの表示電極群は、誘電体層１３及び保護層１４により覆われている。背面基板２上には、第２方向に、複数のアドレス電極３３が平行に伸びて形成されており、更に誘電体層２２に覆われている。誘電体層２２上、アドレス電極３３の両側には、第２方向に伸びる隔壁２３Ａが形成され、列を区分けしている。また、表示電極に沿って第１方向に伸びる隔壁２３Ｂも形成され、行を区分けしている。隔壁２３Ａ及び２３Ｂによりボックス状の隔壁（リブ）２３が構成されている。更に、誘電体層２２上、隔壁２３間には、紫外線により励起されて赤（Ｒ），緑（Ｇ），青（Ｂ）の各色の可視光を発生する蛍光体２４が塗布されている。
【００２７】
＜フィールド＞
ＰＤＰ１０に表示する画像フレームは、制御単位となるフィールドに対応付けられる。１つのフィールドは、表示周期が例えば１／６０秒で表示される。フィールドは、階調表現のために時間的に分割された複数のサブフィールドにより構成される。各サブフィールドは、維持放電が行われるサステイン期間と、その前のアドレス期間及びリセット期間等から構成される。フィールドを構成する各サブフィールドは、サステイン期間の長さにより輝度の重み付けが与えられている。フィールドの各セルにおける、各サブフィールドのオン（点灯）／オフ（非点灯）の選択・組み合わせによって、階調が表現される。
【００２８】
アドレス期間では、サブフィールドのセル群におけるオン／オフの箇所を選択するアドレス動作を行う。即ち、アドレス動作では、駆動対象の表示ライン群に対し、選択セルに対応して、Ｙ電極３２への走査パルスの印加、かつアドレス電極３３へのアドレスパルスの印加により、アドレス放電を発生させる。次のサステイン期間では、表示電極（３１，３２）群に対する維持放電用パルスの印加により、直前のアドレス期間で選択されたセルにおいて維持放電を発生させて発光表示する。
【００２９】
なお、前述したＰＤＰ装置及びＰＤＰ１０の構成（ノーマル構成）は一例であって駆動方式等に応じて各種詳細構造が存在する。例えばいわゆるＡＬＩＳ構成（すべての隣接の表示電極対で表示ラインが構成される構成）のＰＤＰ装置及びＰＤＰに対しても、本発明の実施の形態の技術を同様に適用可能である。
【００３０】
＜第１の構成例＞
次に、図３等において、実施の形態１の駆動回路の構成（全実施の形態における第１の構成例）を説明する。図３において、本維持駆動回路５０−１は、電力回収回路１００とＶｓクランプ回路２００を有し、パネルの容量（Ｃ）のＸ電極３１に対して接続されている。また同様構成のＶｓクランプ回路２００−２を有する維持駆動回路５０−２が、パネルの容量（Ｃ）のＹ電極３２に対して接続されている。維持駆動回路は、ＰＤＰ１０の表示セルに対応する容量（Ｃ）ごとに接続される。
【００３１】
Ｖｓクランプ回路２００は、維持放電電圧（Ｖｓ）に対応する高電位（ｖ１）側の第１の電源（Ｖ１）２１１及び低電位（ｖ２）側の第２の電源（Ｖ２）２１２が接続されており、Ｖｓクランプの動作制御のためのスイッチ（ＳＣ）として、第１のスイッチ（ＳＣｕ）２２１，第２のスイッチ（ＳＣｄ）２２２を有する。第１のスイッチ（ＳＣｕ）２２１はＶｓクランプアップ動作制御、第２のスイッチ（ＳＣｄ）２２２はＶｓクランプダウン動作制御、に用いる。
【００３２】
各スイッチ（ＳＣ，ＳＬ等）は、それぞれＦＥＴ等のスイッチ素子を含んで構成され、制御入力によりオン／オフ状態が制御される。
【００３３】
電力回収回路１００では、電力回収用のコイル（Ｌ）として、単一のコイル（Ｌ０）１５０を有する。コイル（Ｌ０）１５０は、容量（Ｃ）への充電（電荷供給）の動作、及び容量（Ｃ）からの放電（電荷回収）の動作、に共通に用いる。
【００３４】
また、電力回収回路１００は、ＬＣ共振動作制御のためのスイッチ（ＳＬ）として、第１のスイッチ（ＳＬｕ）１２１，第２のスイッチ（ＳＬｄ１２２）を有する。第１のスイッチ（ＳＬｕ）１２１はＬＣ共振アップ動作制御、第２のスイッチ（ＳＬｄ１２２）はＬＣ共振ダウン動作制御、に用いる。
【００３５】
また、電力回収回路１００は、ＬＣ共振動作の整流のためのダイオード（ＤＬ）として、第１のダイオード（ＤＬｕ）１３１、第２のダイオード（ＤＬｄ）１３２を有する。第１のダイオード（ＤＬｕ）１３１は、第１のスイッチ（ＳＬｕ）１２１に対応してＬＣ共振アップの方向、第２のダイオード（ＤＬｄ）１３２は、第２のスイッチ（ＳＬｄ）１２２に対応してＬＣ共振ダウンの方向に整流する。
【００３６】
コイル（Ｌ０）１５０は、パネル電極（容量（Ｃ））から遠い、維持放電電圧（Ｖｓ）のほぼ中間電位となる電源ライン１６０（ＧＮＤ）側に接続されている。一方、スイッチ（ＳＬ）については、第１のスイッチ（ＳＬｕ）１２１及び第２のスイッチ（ＳＬｄ）１２２が、パネル電極（容量（Ｃ））に近い側に接続されている。これは図１３の従来構成とは配置が異なっている。
【００３７】
本構成例では、電源電圧構成に係わり、Ｖｓクランプ回路２００における維持放電用パルスの高電位（ｖ１）に対応する第１の電源（Ｖ１）２１１の電圧は、＋Ｖｓ／２、維持放電用パルスの低電位（ｖ２）に対応する第２の電源（Ｖ２）２１２の電圧は、−Ｖｓ／２、である。
【００３８】
本電力回収回路１００において、コイル（Ｌ０）１５０の一方端（他方端は電源ライン１６０側に接続される）とスイッチ（ＳＬ）との間のノードに対して、電力回収回路１００でのクランプ用のダイオード（クランプダイオード）（ＤＣ）とそれに接続する電源（Ｖｃ）とを有するラインが接続される構成である。本例では、ＬＣ共振動作制御のダイオード（ＤＬ）とスイッチ（ＳＬ）との間にそのラインを接続している。即ち、高電位側のラインにおいて、クランプ用の第１のダイオード（ＤＣ１）１４１を有し、それに第１の電源（Ｖｃ１）１１１が接続されている。また、低電位側のラインにおいて、クランプ用の第２のダイオード（ＤＣ２）１４２を有し、それに第２の電源（Ｖｃ２）１１２が接続されている。
【００３９】
電力回収回路１００の電源（Ｖｃ）の電圧の構成として、Ｖｓクランプ回路２００の電源（Ｖ１，Ｖ２）の電圧と同じにした構成である。即ち、高電位側の第１のダイオード（ＤＣ１）１４１に接続する第１の電源（Ｖｃ１）１１１の電圧は、Ｖｓクランプ回路２００の第１の電源（Ｖ１）２１１と同じでｖ１＝＋Ｖｓ／２であり、低電位側の第２のダイオード（ＤＣ２）１４１に接続する第２の電源（Ｖｃ２）１１２の電圧は、Ｖｓクランプ回路２００の第２の電源（Ｖ２）２１２と同じでｖ２＝−Ｖｓ／２である。
【００４０】
パネル容量（Ｃ）の電荷は、電力回収回路１００のコイル（Ｌ０）１５０に接続されたＧＮＤ（電源ライン１６０）を介して電源（例えば低電位側のＶ２（−Ｖｓ／２）電源用コンデンサ）に回収される。また逆に、電源（例えばＶ２電源用コンデンサ）から電力回収回路１００のコイル（Ｌ０）１５０に接続されたＧＮＤ（電源ライン１６０）を介してパネル容量（Ｃ）に電荷が供給される。
【００４１】
また、電力回収回路１００のクランプ用の各ダイオード（ＤＣ１，ＤＣ２）と並列に、ＲＣ回路（抵抗ｒとコンデンサｃ）を接続している構成である。これは、急峻な電圧を緩和するためであり、このようにＲＣ回路を設ける構成の方が、動作安定化に対して望ましい。
【００４２】
なお、電力回収回路１００は、パネル電極（Ｘ，Ｙ）の一方側（本例ではＸ電極３１側）の駆動回路側にのみ示しているが、両方側に設けても構わない（後述の実施の形態でも同様である）。
【００４３】
（実施の形態２）
次に、図４，５，６等を用いて、本発明の実施の形態２を説明する。実施の形態２では、電力回収用のコイル（Ｌ）としては２つのコイルを独立に有する。
【００４４】
＜第２の構成例（２−１）＞
図４において、実施の形態２の駆動回路の構成（第２の構成例）を示している。維持駆動回路５０−１において、Ｖｓクランプ回路２００は、前述同様構成である。
【００４５】
電力回収回路１００では、電力回収用のコイル（Ｌ）として、独立した２つのコイルである第１コイル（Ｌ１）１５１及び第２コイル（Ｌ２）１５２を有する。第１コイル（Ｌ１）１５１は、容量（Ｃ）への充電（電荷供給）の動作、第２コイル（Ｌ２）１５２は、容量（Ｃ）からの放電（電荷回収）の動作、に用いる。本例では、これらのコイル（Ｌ１，Ｌ２）のインダクタンス（同じ記号で表すとする）の関係は、Ｌ１≒Ｌ２である。
【００４６】
また、電力回収回路１００は、前述同様に、ＬＣ共振制御のスイッチ（ＳＬ）として、第１のスイッチ（ＳＬｕ）１２１，第２のスイッチ（ＳＬｄ）１２２を有し、また、対応するダイオード（ＤＬ）として、第１のダイオード（ＤＬｕ）１３１、第２のダイオード（ＤＬｄ）１３２を有する。
【００４７】
各コイル（Ｌ１，Ｌ２）は、維持放電電圧（Ｖｓ）のほぼ中間電位となる電源ライン１６０（ＧＮＤ）側に接続されており、一方、ＬＣ共振制御の第１のスイッチ（ＳＬｕ）１２１及び第２のスイッチ（ＳＬｄ）１２２は、パネル電極（容量（Ｃ））に近い側に接続されている。
【００４８】
本構成例では、電源電圧構成に係わり、維持放電用パルスの高電位（ｖ１）に対応する第１の電源（Ｖ１）２１１の電圧は、＋Ｖｓ／２、維持放電用パルスの低電位（ｖ２）に対応する第２の電源（Ｖ２）２１２の電圧は、−Ｖｓ／２、である。電力回収回路１００の電源（Ｖｃ）の電圧の構成として、Ｖｓクランプ回路２００の電源（Ｖ１，Ｖ２）の電圧と同じにした構成である。
【００４９】
本電力回収回路１００において、各コイル（Ｌ１，Ｌ２）の一方端とスイッチ（ＳＬ）との間のノードに対して、電力回収回路１００でのクランプ用のダイオード（ＤＣ）とそれに接続する電源（Ｖｃ）とのラインが接続される構成である。本例では、コイル（Ｌ１，Ｌ２）とダイオード（ＤＬ）との間にそのラインを接続している。即ち、高電位側のラインにおいて、クランプ用の第１のダイオード（ＤＣ１）１４１を有し、それに第１の電源（Ｖｃ１）１１１が接続されている。また、低電位側のラインにおいて、クランプ用の第２のダイオード（ＤＣ２）１４２を有し、それに第２の電源（Ｖｃ２）１１２が接続されている。また、電力回収回路１００のクランプ用の各ダイオード（ＤＣ１，ＤＣ２）と並列に、ＲＣ回路を接続している。
【００５０】
パネル容量（Ｃ）の電荷は、電力回収回路１００の第２コイル（Ｌ２）１５２に接続されたＧＮＤ（電源ライン１６０）を介して電源（例えば低電位側のＶ２（−Ｖｓ／２）電源用コンデンサ（４０１））に回収される。また逆に、電源（例えばＶ２電源用コンデンサ（４０１））から電力回収回路１００の第１コイル（Ｌ１）１５１に接続されたＧＮＤ（電源ライン１６０）を介してパネル容量（Ｃ）に電荷が供給される。
【００５１】
＜第３の構成例（２−２）＞
図５において、実施の形態２の維持駆動回路５０−１の別の構成（第３の構成例）を示している。これは、電力回収回路１００の電源（Ｖｃ）の構成として、Ｖｓクランプ回路２００の電源（Ｖ１，Ｖ２）の電圧絶対値よりも小さくした構成である。即ち、高電位側の第１のダイオード（ＤＣ１）に接続する第１の電源（Ｖｃ１）１１１では、条件として、下記式（１），（２）の通り、Ｖｓクランプ回路２００の高電位（ｖ１）側の第１の電源（Ｖ１）２１１よりも低く、Ｖｓの中間電位（（ｖ１＋ｖ２）／２）以上となる範囲内に設定される。
【００５２】
｛（ｖ１＋ｖ２）／２｝≦Ｖｃ１＜ｖ１      ・・・（１）
０≦Ｖｃ１＜（＋Ｖｓ／２）      ・・・（２）
低電位側の第２のダイオード（ＤＣ２）に接続する第２の電源（Ｖｃ２）でも同様に下記式（３），（４）のように設定される。
【００５３】
ｖ２＜Ｖｃ２≦｛（ｖ１＋ｖ２）／２｝      ・・・（３）
（−Ｖｓ／２）＜Ｖｃ２≦０      ・・・（４）
【００５４】
＜制御タイミング（１）＞
次に、図６を用いて、実施の形態２の維持駆動回路５０−１の構成における制御動作タイミング及び出力電圧等を説明する。代表的な構成の維持放電用パルスの制御タイミング、回路出力電圧及び回路電流波形を示している。
【００５５】
図６（ａ）において、実施の形態２の図４の第２の構成例における波形を示す（これは後述の実施の形態３の図７の第４の構成例の場合でも同様である）。なおコイルのインダクタンスがＬ１≒Ｌ２の場合を示している。図６（ｂ）において、図６（ａ）の場合のスイッチ（ＳＬ）出力電流及びクランプダイオード（ＤＣ）の電流波形を示している。図６（ｃ）において、実施の形態２の図５の第３の構成例（実施の形態３の図８の第５の構成例の場合でも同様）における、クランプダイオード（ＤＣ）の電流波形を示している。実線の波形は、本実施の形態でのアーリークランプ制御の場合を示し、それと重ねている破線の波形は、アーリークランプ制御ではない従来制御の場合を示している。従来制御の場合、Ｖｓクランプのタイミングが本実施の形態でのそのタイミング（ｔ４）よりも遅い、もしくは、ＬＣ共振動作途中でＶｓクランプのスイッチをＯＮしない。
【００５６】
まず図６（ａ）において、各スイッチの制御タイミングを説明する。Ｐは、維持駆動回路５０−１からパネル電極（容量（Ｃ））へ印加する維持放電用パルスである。ｖ１，ｖ２は、±Ｖｓ／２（第２の構成例の場合）、もしくは、括弧内で示すようにＶｓ，ＧＮＤ（第４の構成例の場合）である。ＳＬｕ〜ＳＣｄ’は、前述の各スイッチに対応した制御入力によるＯＮ・ＯＦＦの波形を示している。ｔ１等はタイミングである。また、πは、ＬＣ共振電流周期を示す。なお、スイッチの電流の向きは、ＳＬｕでは、パネルへの供給の向きが正、ＳＬｄでは、パネルからの回収の向きが正、である。また、クランプダイオード（ＤＣ）電流の向きは、アノードからカソードの向きが正である。
【００５７】
電力回収回路１００からパネル容量（Ｃ）への電荷供給（充電）時の制御動作は以下である。まず、スイッチ（ＳＬｕ）１２１をＯＮし（ｔ１）、ＧＮＤ（電源ライン１６０）から第１コイル（Ｌ１）１５１を介して電流が流れ、電力回収回路１００の第１コイル（Ｌ１）１５１とパネル容量（Ｃ）とでＬＣ共振動作を開始させる。このＬＣ共振により、立ち上がり波形は、ｔ１〜ｔ３のように、傾きがなだらかな方向に時間的に変化する曲線となる。
【００５８】
次に、上記ｔ１の後、アーリークランプ制御のタイミング条件として、ＬＣ共振電流周期（π）におけるπ／４（ｔ２）より大きくπ／２（ｔ５）未満のタイミングで、まずスイッチ（ＳＬｕ）１２１をＯＦＦし（ｔ３）、続いてスイッチ（ＳＣｕ）２２１をＯＮする（ｔ４）。これによりパネル電極の電位を維持放電電圧（Ｖｓ）の高電位（ｖ１）側にクランプする（ｔ５）。スイッチ（ＳＣｕ）２２１のＯＮにより容量（Ｃ）は第１の電源（Ｖ１）２１１と直結されるので、ｔ４〜ｔ５のように電圧は一気にＶｓまで上昇し、放電開始電圧（Ｖｉ）でガス放電が発生する。上記アーリークランプ制御のタイミング条件は、換言すれば、コイル（Ｌ）に蓄積した電荷が全てパネル容量（Ｃ）へ供給される前、である。コイル（Ｌ）に残留している電荷の一部は、クランプダイオード（ＤＣ）を介して電源に回収される。
【００５９】
次に、パネル容量（Ｃ）から電力回収回路１００への電荷回収（放電）時の制御動作は以下である。まず、スイッチ（ＳＬｄ）１２２をＯＮし（ｔ６）、電力回収回路１００の第２コイル（Ｌ２）１５２とパネル容量（Ｃ）とでＬＣ共振動作を開始させる。次に、ＬＣ共振電流周期（π）におけるπ／４（ｔ７）より大きくπ／２（ｔ１０）未満のタイミングで、まずスイッチ（ＳＬｄ）１２２をＯＦＦし（ｔ８）、続いてスイッチ（ＳＣｄ）２２２をＯＮして（ｔ９）、これによりパネル電極の電位をＶｓの低電位（ｖ２）側にクランプする（ｔ１０）。上記アーリークランプ制御のタイミング条件は、換言すれば、パネル容量（Ｃ）からコイル（Ｌ）へ蓄積した電荷が全て電源（コンデンサ）に回収される前、である。コイル（Ｌ）に残留している電荷の一部は、クランプダイオード（ＤＣ）を介して電源に回収される。
【００６０】
上述した動作において、電力回収回路１００の第１コイル（Ｌ１）１５１（もしくは第２コイル（Ｌ２）１５２）は、スイッチ（ＳＬｕ）１２１（もしくはスイッチ（ＳＬｄ）１２２）をＯＦＦしているため、パネル電極（容量（Ｃ））から電気的に遮断され、スイッチ（ＳＣｕ）２２１（もしくはスイッチ（ＳＣｄ）２２２）動作時のＶｓクランプ時の影響や、ガス放電時の影響（大電流によるパネル電極の電圧変動等）を受けなくなる。
【００６１】
図６（ｂ）において、図６（ａ）の制御動作により、電力回収回路１００におけるスイッチ（ＳＬｕ，ＳＬｄ）及びクランプダイオード（ＤＬ１，ＤＬ２）の電流は、図示したようになる。ＳＬｕ出力電流はＬＣ共振アップ時の電流を示し、ＤＣ１電流は回収される電流を示している。同様にＳＬｄ出力電流はＬＣ共振ダウン時の電流を示し、ＤＣ２電流は回収される電流を示している。
【００６２】
図６（ｃ）において、ＤＣ１電流で示すように、前記図５の第３の構成例、即ち電荷供給側の第１のダイオード（ＤＣ１）１４１に接続する第１の電源（Ｖｃ１）１１１の電圧をＶｓの高電位（ｖ１）側よりも低く設定する構成において、パネルへの電荷供給時にスイッチ（ＳＬｕ）１２１をＯＦＦして第１コイル（Ｌ１）に残留した電荷を、より多く、即ち図４の第２の構成例の場合よりも多く、電源（Ｖｃ１）に回収することができる。この第１の電源（Ｖｃ１）の電圧は、前述のようにアドレス電源（Ｖａ）を流用してもよい。
【００６３】
また同様に、ＤＣ２電流で示すように、前記電荷回収側の第２のダイオード（ＤＣ２）１４２に接続する第２の電源（Ｖｃ２）１１２の電圧をＶｓの低電位（ｖ２）側より高く設定する構成において、パネルからの電荷回収時にスイッチ（ＳＬｄ）１２２をＯＦＦして第２コイル（Ｌ２）に残留した電荷を、より多く電源に回収することができる。
【００６４】
＜変形例（１）＞
上記維持駆動回路５０−１の構成に係わる変形例として、電力回収回路１００に接続する電源（Ｖｃ１，Ｖｃ２）としては、アドレス駆動回路１００３で使用する、アドレス選択放電のためのパルス（アドレスパルス）で用いる電源（アドレス電源（Ｖａ））、を流用すなわち共通使用する構成が可能である。なおこの構成の場合、アドレス電源（Ｖａ）の電圧構成は、前述した式の条件を満たす。この構成は、各実施の形態の構成例で同様に適用可能である。
【００６５】
（実施の形態３）
次に、図７，８等を用いて、本発明の実施の形態３を説明する。実施の形態３では、Ｖｓクランプ回路２００に係わる電源電圧構成として、前記±Ｖｓ／２ではなく（Ｖｓ，ＧＮＤ）である。
【００６６】
＜第４の構成例（３−１）＞
図７において、実施の形態３の維持駆動回路５０−１の構成（第４の構成例）を示している。本維持駆動回路５０−１では、Ｖｓクランプ回路２００の電源（Ｖ１，Ｖ２）の電圧構成としては、維持放電用パルスの高電位（ｖ１）に対応する第１の電源（Ｖ１）２１１ではｖ１＝＋Ｖｓとし、維持放電用パルスの低電位（ｖ１）に対応する第２の電源（Ｖ２）２１２ではｖ２＝０（ＧＮＤ）とした構成である。低電位側の電源ライン１６０には、電力回収用コンデンサ（Ｃｐ）が接続されている。電源ライン１６０上のノード１６１は、動作により、Ｖｓのほぼ中間電位（＋Ｖｓ／２）となる。
【００６７】
また、電力回収回路１００のクランプ用のダイオード（ＤＣ）に接続する電源（Ｖｃ）の電圧構成としては、Ｖｓクランプ回路２００の電源（Ｖ１，Ｖ２）と同じにする。即ち、高電位側の第１のダイオード（ＤＣ１）に接続する第１の電源（Ｖｃ１）１１１では、ｖ１（＋Ｖｓ）、低電位側の第２のダイオード（ＤＣ２）に接続する第２の電源（Ｖｃ２）１１２では、０（ＧＮＤ）、である。
【００６８】
パネル容量（Ｃ）の電荷は、電力回収回路１００のコイル（Ｌ１，Ｌ２）の他方端（ノード１６１）に接続されたコンデンサ（Ｃｐ）に回収する。また、電力回収回路１００のコイル（Ｌ１，Ｌ２）の他方端（ノード１６１）に接続されたコンデンサ（Ｃｐ）からパネル容量（Ｃ）に電荷を供給する。
【００６９】
＜第５の構成例（３−２）＞
図８において、実施の形態３の維持駆動回路５０−１の別の構成（第５の構成例）を示している。本維持駆動回路５０−１では、Ｖｓクランプ回路２００の電源（Ｖ１，Ｖ２）の電圧構成としては、前述同様に第１の電源（Ｖ１）２１１ではｖ１＝＋Ｖｓ、第２の電源（Ｖ２）２１２ではｖ２＝０（ＧＮＤ）である。一方、電力回収回路１００の電源（Ｖｃ）の電圧構成としては、Ｖｓクランプ回路２００の電源（Ｖ１，Ｖ２）の電圧絶対値よりも小さくした構成にする。即ち、前述の式（１），（３）と同様の条件から、高電位側の第１のダイオード（ＤＣ１）に接続する第１の電源（Ｖｃ１）１１１では、下記式（５）の条件（ｖ１よりも低くＶｓ中間電位以上）、低電位側の第２のダイオード（ＤＣ２）に接続する第２の電源（Ｖｃ２）１１２では、下記式（６）の条件（ｖ２よりも高くＶｓ中間電位以下）、である。
【００７０】
（＋Ｖｓ／２）≦Ｖｃ１＜（＋Ｖｓ）      ・・・（５）
０＜Ｖｃ２≦（＋Ｖｓ／２）      ・・・（６）
【００７１】
（実施の形態４）
次に、図９，１０，１１等を用いて、本発明の実施の形態４を説明する。実施の形態４では、ＬＣ共振制御のスイッチ（ＳＬ）を１つに共通化した構成である。
【００７２】
＜第６の構成例（４−１）＞
図９において、実施の形態４の維持駆動回路５０−１の構成（第６の構成例）を示している。本電力回収回路１００では、前述のスイッチ（ＳＬ）における電荷供給用の第１のスイッチ（ＳＬｕ）１２１と電荷回収用の第２のスイッチ（ＳＬｄ）１２２とを、１つのスイッチ（ＳＬｕｄ）１２３に共通化した構成である。これにより部品点数を削減している。１つのスイッチ（ＳＬｕｄ）１２３に合わせて更にダイオード（ＤＬｕ２）１３４，ダイオード（ＤＬｄ２）１３３も備える。充電・放電の２つのライン（１８１，１８２）を接続するライン（１８３）にスイッチ（ＳＬｕｄ）１２３を備え、そのスイッチ（ＳＬｕｄ）１２３の前後のライン（１８１，１８２）上に各ダイオード（ＤＬｕ１，ＤＬｄ１，ＤＬｕ２，ＤＬｄ２）を備える。
【００７３】
Ｖｓクランプ回路２００の電源（Ｖ１，Ｖ２）の構成は、前述同様（ｖ１＝＋Ｖｓ／２，ｖ２＝−Ｖｓ／２）である。電力回収回路１００の電源（Ｖｃ）の構成は、例えばＶｓクランプ回路２００の電源（Ｖ１，Ｖ２）の電圧値よりも小さくした構成とする。コイルのインダクタンスはＬ１≒Ｌ２である。
【００７４】
＜第７の構成例（４−２）＞
図１０において、実施の形態４の維持駆動回路５０−１の別の構成（第７の構成例）を示している。本維持駆動回路５０−１では、Ｖｓクランプ回路２００の電源（Ｖ１，Ｖ２）の電圧構成としては、前述同様に電源（Ｖ１）２１１ではｖ１＝＋Ｖｓ、電源（Ｖ２）２１２ではｖ２＝０（ＧＮＤ）、である。電力回収回路１００の電源（Ｖｃ）の電圧構成としては、例えば前述同様にＶｓクランプ回路２００の電源（Ｖ１，Ｖ２）の電圧絶対値よりも小さくした構成にする。そして、本電力回収回路１００において、電荷供給用の第１のスイッチ（ＳＬｕ）１２１と電荷回収用の第２のスイッチ（ＳＬｄ）１２２を１つのスイッチ（ＳＬｕｄ）１２３に共通化した構成である。
【００７５】
＜制御タイミング（２）＞
図１１（ａ），（ｂ）において、実施の形態４の図９の第６の構成例の場合（図１０の第７の構成例の場合でも同様）における制御動作タイミングの波形等を図６の形式同様に示している。図１１の構成は、図６との違いは、電力回収回路１００の電荷供給用の第１のスイッチ（ＳＬｕ）１２１と電荷回収用の第２のスイッチ（ＳＬｄ）１２２とを１つのスイッチ（ＳＬｕｄ）１２３に共通化した構成に対応した制御動作となっていることである。即ち、ＳＬｕｄで示すように、ＬＣ共振アップ及びダウンの両方に対応して、スイッチ（ＳＬｕｄ）１２３は、ｔ１〜ｔ３及びｔ６〜ｔ８の各期間でＯＮされる。スイッチ（ＳＬｕｄ）１２３の出力電流は、図１１（ｂ）のようになる。
【００７６】
＜変形例（２）＞
前述の実施の形態（第２〜第５の構成例）の変形例として、前述同様の回路構成で２つのコイル（Ｌ１，Ｌ２）のインダクタンスの構成として、Ｌ１＜Ｌ２、とした構成とする。即ち、パネル容量（Ｃ）への充電側よりも放電側の時間を大きくとる構成である。
【００７７】
＜制御タイミング（３）＞
図１２（ａ）において、実施の形態２の図４の第２の構成例（または実施の形態３の図７の第４の構成例）で、Ｌ１＜Ｌ２とした場合の構成における制御タイミングの波形を示している。図１２（ｂ）において、図１２（ａ）の場合のスイッチ（ＳＬ）出力電流及びクランプダイオード（ＤＣ）の電流波形を示している。図１２（ｃ）において、実施の形態２の図５の第３の構成例（または実施の形態３の図８の第５の構成例）で、Ｌ１＜Ｌ２とした場合の構成におけるクランプダイオード（ＤＣ）の電流波形を示している。
【００７８】
これらの構成の、図６のＬ１≒Ｌ２の場合の構成との違いは、Ｌ１＜Ｌ２により、パネルへの電荷供給時間（Ｔ１（ｔ１〜ｔ５）で示す）よりも、パネルからの電荷回収時間（Ｔ２（ｔ６〜ｔ１０）で示す）の方が長いことである。
【００７９】
以上説明した各構成により、従来技術の構成よりも回路動作の安定性が実現される。特に、維持駆動回路５０−１から維持放電用パルスをパネル電極に供給する際、電力回収回路１００のコイル（Ｌ）側とパネル及びＶｓクランプ回路２００側とを電気的に遮断制御することができるため、回路動作の安定性を実現できる。また特に、電力回収回路１００のクランプ用のダイオード（ＤＣ）に接続する電源（Ｖｃ）を、Ｖｓクランプ回路２００の電源（Ｖ１，Ｖ２）よりも、電圧値を低くした構成の場合には、より多くの電荷を回収することができるため、省電力化が実現できる。
【００８０】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００８１】
本発明は、ＰＤＰ装置などに利用可能である。
【図面の簡単な説明】
【００８２】
【図１】本発明の一実施の形態におけるＰＤＰ装置の全体の構成を示す図である。
【図２】本発明の一実施の形態のＰＤＰ装置のＰＤＰ構造例を示す図である。
【図３】本発明の実施の形態１のＰＤＰ装置における、維持放電用パルス駆動回路の構成（第１の構成例）を示す図である。
【図４】本発明の実施の形態２のＰＤＰ装置における、維持放電用パルス駆動回路の構成（第２の構成例）を示す図である。
【図５】本発明の実施の形態２のＰＤＰ装置における、維持放電用パルス駆動回路の別の構成（第３の構成例）を示す図である。
【図６】本発明の実施の形態２，３のＰＤＰ装置における、維持放電用パルス駆動回路の制御タイミング及び出力電流の波形を示す図である。
【図７】本発明の実施の形態３のＰＤＰ装置における、維持放電用パルス駆動回路の構成（第４の構成例）を示す図である。
【図８】本発明の実施の形態３のＰＤＰ装置における、維持放電用パルス駆動回路の別の構成（第５の構成例）を示す図である。
【図９】本発明の実施の形態４のＰＤＰ装置における、維持放電用パルス駆動回路の構成（第６の構成例）を示す図である。
【図１０】本発明の実施の形態４のＰＤＰ装置における、維持放電用パルス駆動回路の別の構成（第７の構成例）を示す図である。
【図１１】本発明の実施の形態４のＰＤＰ装置における、維持放電用パルス駆動回路の制御タイミング及び出力電流の波形を示す図である。
【図１２】本発明の実施の形態２，３の変形例のＰＤＰ装置における、維持放電用パルス駆動回路の制御タイミング及び出力電流の波形を示す図である。
【図１３】従来技術のＰＤＰ装置の維持駆動回路の構成例を示す図である。
【符号の説明】
【００８３】
１…前面基板、２…背面基板、１０…ＰＤＰ、１１…透明電極、１２…バス電極、１３，２２…誘電体層、１４…保護層、２３，２３Ａ，２３Ｂ…隔壁、２４…蛍光体、３１…Ｘ電極、３２…Ｙ電極、３３…アドレス電極、５０−１，５０−２…維持駆動回路、６０…走査駆動回路、１００…電力回収回路、１１１…第１の電源（Ｖｃ１）、１１２…第２の電源（Ｖｃ２）、１２１…スイッチ（ＳＬｕ）、１２２…スイッチ（ＳＬｄ）、１３１…ダイオード（ＤＬｕ）、１３２…ダイオード（ＤＬｄ）、１４１…ダイオード（ＤＣ１）、１４２…ダイオード（ＤＣ２）、１５０…コイル（Ｌ０）、１５１，１５０−１…第１コイル（Ｌ１）、１５２，１５０−２…第２コイル（Ｌ２）、１６０…電源ライン、１６１…ノード、１７０…クランプダイオード及び電源、１８１，１８２，１８３…ライン、２００，２００−２…維持放電電圧（Ｖｓ）クランプ回路、２０１…前面部、２０２…背面部、２１１…第１の電源（Ｖ１）、２１２…第２の電源（Ｖ２）、２２１…スイッチ（ＳＣｕ）、２２２…スイッチ（ＳＣｄ）、４０１…Ｖ２電源用コンデンサ、１０００…制御回路、１００１…Ｘ駆動回路、１００２…Ｙ駆動回路、１００３…アドレス駆動回路。
【図１】
2008241853.tif 000003
【図２】
2008241853.tif 000004
【図３】
2008241853.tif 000005
【図４】
2008241853.tif 000006
【図５】
2008241853.tif 000007
【図６】
2008241853.tif 000008
【図７】
2008241853.tif 000009
【図８】
2008241853.tif 000010
【図９】
2008241853.tif 000011
【図１０】
2008241853.tif 000012
【図１１】
2008241853.tif 000013
【図１２】
2008241853.tif 000014
【図１３】
2008241853.tif 000015